(57)【特許請求の範囲】
【請求項１】
作業現場で実施される作業における作業手順書を作成する作成装置であって、
前記作業に係る作業動画を撮像可能な撮像部と、
前記撮像部によって撮像された前記作業動画を表示可能なタッチスクリーンと、
前記タッチスクリーンに前記作業動画を表示させる処理を実行可能なデータ処理部と、を備え、
前記データ処理部は、前記作業動画を表示する動画表示部と、前記作業動画の進捗状況を表示するプログレスバーと、前記作業動画の進行に連動して前記プログレスバー上を移動するインジケータと、前記動画表示部に表示される前記作業動画に含まれる複数の要素作業の作業時間を測定するタッチ操作可能な作業時間測定部と、前記要素作業の名称及び前記作業時間を編集可能に表示する作業内容表と、を前記タッチスクリーンに表示させる処理を実行可能に構成されており、
前記データ処理部は、前記作業動画が前記動画表示部で再生されている間に、前記作業時間測定部がタッチ操作されたときに、前記作業動画の進行に連動して移動中の前記インジケータの位置で区切り線を前記プログレスバー上に表示させることにより、複数の前記要素作業を複数の前記区切り線で区切る処理を実行可能に構成されており、
前記区切り線は、前記要素作業の開始時を示す第一区切り線と、前記要素作業の終了時を示す第二区切り線とを含み、
前記データ処理部は、前記第一区切り線に係る前記要素作業の開始時から前記第二区切り線に係る前記要素作業の終了時までの作業時間を測定する処理を実行可能に構成されており、
前記作業内容表は、前記区切り線によって区切られた前記要素作業に係る前記作業時間を、正味、付随、及び歩行の３つの時間区分に分けて表示することを特徴とする、作業手順書の作成装置。 
【発明の詳細な説明】
【技術分野】
【０００１】
本発明は、例えば自動車の製造ラインにおける各種作業の作業手順書を作成することが可能な作業手順書の作成装置に関する。
【背景技術】
【０００２】
従来、工場、企業等においては、製品の生産ラインにおける各種の作業を標準化して管理するために、例えば、それぞれの作業工程を複数の作業単位（以下「要素作業」という）に分解し、要素作業毎に必要な作業時間を組み合わせてガントチャートの形式で作業手順書を作成し、この作業手順書に基づいて作業工程を管理する手法が採用されている（例えば特許文献１参照）。
【０００３】
上記の管理手法によれば、製品の生産ラインにおける各種作業の内容を詳細に至るまで正確に把握することができる。さらに、要素作業とこれに必要な作業時間を明確にすることで各作業工程を標準化し、作業者がこの標準作業に則って作業を行うことができるよう、その指導及び監督が実施される。
【０００４】
上記のような標準作業を規定する作業手順書を策定するには、作業工程を要素作業に分解するとともに、各要素作業に要する作業時間を決定する必要がある。この作業時間を決定するに際し、従来、例えばストップウォッチを使用して熟練作業者の作業における要素作業毎の作業時間を測定するという手法が採られていた（例えば特許文献２参照）。
【先行技術文献】
【特許文献】
【０００５】
【特許文献１】特開２００３−５８２２７号公報
【特許文献２】特開平０５−２８２３２３号公報
【発明の概要】
【発明が解決しようとする課題】
【０００６】
しかしながら、従来のようなストップウォッチによる作業時間の測定には、作業時間の測定精度を上げるために、１つの作業工程において複数回の測定を要し、また、測定がうまくいかない場合には、その作業及び測定のやり直しが必要になる。このように、従来の手法では、要素作業における作業時間の測定が非常に煩雑なものになってしまっていた。さらに、ストップウォッチによって作業時間を測定した後に、その測定データをコンピュータ等に入力して編集する必要があり、この入力作業や編集作業も非常に面倒なものであった。
【０００７】
本発明は上記の事情に鑑みてなされたものであり、標準作業を規定する作業手順書を作成するにあたり、要素作業における作業時間の測定やこの測定によって得られたデータの編集を容易に行うことが可能な作業手順書の作成装置を提供することを目的とする。
【課題を解決するための手段】
【０００８】
本発明は、上記の課題を解決するためのものであり、作業現場で実施される作業における作業手順書を作成する作成装置であって、前記作業に係る作業動画を撮像可能な撮像部と、前記撮像部によって撮像された前記作業動画を表示可能なタッチスクリーンと、前記タッチスクリーンに前記作業動画を表示させる処理を実行可能なデータ処理部と、を備え、前記データ処理部は、前記作業動画を表示する動画表示部と、前記作業動画の進捗状況を表示するプログレスバーと、前記作業動画の進行に連動して前記プログレスバー上を移動するインジケータと、前記動画表示部に表示される前記作業動画に含まれる複数の要素作業の作業時間を測定するタッチ操作可能な作業時間測定部と、前記要素作業の名称及び前記作業時間を編集可能に表示する作業内容表と、を前記タッチスクリーンに表示させる処理を実行可能に構成されており、前記データ処理部は、前記作業動画が前記動画表示部で再生されている間に、前記作業時間測定部がタッチ操作されたときに、前記作業動画の進行に連動して移動中の前記インジケータの位置で区切り線を前記プログレスバー上に表示させることにより、複数の前記要素作業を複数の前記区切り線で区切る処理を実行可能に構成されており、前記区切り線は、前記要素作業の開始時を示す第一区切り線と、前記要素作業の終了時を示す第二区切り線とを含み、前記データ処理部は、前記第一区切り線に係る前記要素作業の開始時から前記第二区切り線に係る前記要素作業の終了時までの作業時間を測定する処理を実行可能に構成されており、前記作業内容表は、前記区切り線によって区切られた前記要素作業に係る前記作業時間を、正味、付随、及び歩行の３つの時間区分に分けて表示することを特徴とする。
【０００９】
かかる構成によれば、撮像部によって撮像された作業動画を動画表示部に表示させながら、表示部に表示される作業時間測定部を操作することで、作業動画に含まれる要素作業の作業時間を容易に測定することができる。さらに、この表示部に作業内容表を表示させることにより、前記測定によって得られたデータを容易に入力及び編集することができるようになる。すなわち、表示部に表示される作業内容表は、要素作業の名称とその作業時間とを編集可能に表示することから、この作業内容表を確認しながら、要素作業の名称や作業時間に関するデータを容易に編集することが可能になる。
【発明の効果】
【００１０】
本発明によれば、標準作業を規定する作業手順書を作成するにあたり、要素作業における作業時間の測定やこの測定によって得られたデータの編集を容易に行うことが可能になる。
【図面の簡単な説明】
【００１１】
【図１】図１は、作業手順書の作成装置を含むネットワークシステムの構築例を示す図である。
【図２】図２は、作業手順書の作成装置における構成を示すブロック図である。
【図３】図３は、作業手順書の作成装置に係る正面図である。
【図４】図４は、作業手順書の作成装置による作業時間の測定手順を説明するための部分正面図である。
【発明を実施するための形態】
【００１２】
以下、本発明に係る作業手順書の作成装置（以下、単に「作成装置」という）を実施するための形態について図面を参照しながら説明する。
【００１３】
この作成装置は、図１に例示するネットワークシステムにおいて使用され得る。このネットワークシステムでは、製造ラインを備える複数の工場Ｃ１〜Ｃ４のそれぞれに設置されたサーバＳがインターネット等の通信網Ｎを介して接続されている。工場Ｃ１〜Ｃ４で用いられる複数の作成装置Ａのそれぞれは、工場Ｃ１〜Ｃ４の全てのサーバＳおよび他の作成装置Ａとの間でデータ通信を行うことが可能である。この構成により、工場Ｃ１〜Ｃ４のいずれかのサーバＳにデータをアップロードすれば、全ての作成装置Ａにそのデータをダウンロードさせることができる。
【００１４】
作成装置Ａは、各工場Ｃ１〜Ｃ４内において、各種の作業工程おける作業の動画（以下「作業動画」という）を撮像（撮影）するとともに、撮像した作業動画に基づいて対象作業を複数の要素作業に分け、要素作業毎の作業時間（ラップタイム）を測定するとともに、要素作業とその作業時間とを纏めて、後述の作業内容表に入力及び編集することができる。作成装置Ａには、このような測定及び編集機能を有する作業手順書作成専用ソフトがインストールされている。この作業手順書作成専用ソフトは、作成された作業内容表に基づいて、各種作業工程における標準作業を示す作業手順書を作成するためのソフトウェアである。
【００１５】
この作業手順書作成専用ソフトは、サーバＳにも保存されており、作成装置Ａによって測定されたデータや作業内容表をサーバＳに送信し、サーバＳによって作業手順書を作成することも可能である。したがって、作成装置Ａは、サーバＳによって作成された作業手順書をダウンロードすることもできる。また、この作成装置Ａは、作業手順書を表示する表示装置として、作業監督者が作業者を指導・監督する場合や作業者自身が作業の手順を学習する場合にも使用され得る。
【００１６】
作成装置Ａには、例えばｉＰａｄ（登録商標）等のようなタブレット型の多機能端末が使用され得る。作成装置Ａは、図２に示すように、測定データの処理や各種プログラムの演算処理を行うデータ処理部１と、サーバＳや他の作成装置Ａとの通信を可能にする通信回路２と、測定データや各種プログラムを記憶する記憶部３と、作業手順書の作成に必要な情報を表示する表示部４と、作成装置Ａにおける各種操作を行うための操作部５と、作業動画を撮像する撮像カメラ６と、所定の音を出力するスピーカ７とを主に備える。
【００１７】
データ処理部１は、ＣＰＵ等の演算ユニットによって構成される。データ処理部１は、記憶部３に記憶され得る測定データのデータ処理や各種のプログラムの演算処理を実行するとともに、撮像カメラ６、スピーカ７等の各種機器を制御するように構成される。
【００１８】
通信回路２は、Ｗｉ−Ｆｉ等の規格によってサーバＳや他の作成装置Ａとの無線通信を行うことができるが、これに限らず、有線による通信を行うものであってもよい。作成装置Ａは、取得した測定データ等の情報を、通信回路２を介してサーバＳや他の作成装置Ａに送信し、必要な情報をこれらの機器から受信できる。
【００１９】
記憶部３は、多機能端末に標準装備されるＯＳの他、上述した作業手順書作成専用ソフト、及びこのソフトによって作成される作業手順書を記憶する。また、記憶部３は、撮像カメラ６によって撮像された作業動画の撮像データ及びこの撮像データに基づいて測定される作業時間の測定データを記憶することができる。
【００２０】
表示部４は、タッチスクリーンとして構成されており、操作部５と連動して動作し得る。図３に示すように、表示部４には、測定対象作業に係る作業動画を表示するための動画表示部８と、この動画表示部８に表示される作業動画の進捗状況を示すプログレスバー９と、各種の操作を行うための複数のアイコン１０〜１８と、対象作業に係る作業内容を表示する作業内容表１９とが表示されている。なお、図示していないが、表示部４は、その他、ソフトウェアキーボードや、このソフトウェアキーボードを使用して各種の入力が可能なポップアップウィンドウ等を表示することができる。
【００２１】
動画表示部８には、撮像カメラ６によって撮像され、記憶部３に記憶されている作業動画が再生（表示）され得る。プログレスバー９は、作業動画が再生されたときに、円形のインジケータ２０をこのプログレスバー９上で移動させることにより、再生されている作業動画の進捗状況を表示できる。
【００２２】
複数のアイコン１０〜１８には、撮像用アイコン１０、再生用アイコン１１、ラップ測定用アイコン１２、第１ラップ頭出し用アイコン１３、第２ラップ頭出し用アイコン１４、ラップ取消し用アイコン１５、ラップモード選択用アイコン１６、ラップクリア用アイコン１７及び再生速度調整用アイコン１８が含まれる。各アイコン１０〜１８は、タッチスクリーンとして構成される表示部４において、各種機能を作動させるためにタッチ操作によって操作されるボタン又はスイッチとして機能する。
【００２３】
撮像用アイコン１０は、撮像カメラ６による作業の撮像を開始する際に操作される。再生用アイコン１１は、動画表示部８に表示される作業動画を再生する際に使用される。ラップ測定用アイコン１２は、再生される作業動画を要素作業毎に区分けする際に用いられる。このラップ測定用アイコン１２は、プログレスバー９と併用されることで、各要素作業の作業時間を測定する作業時間測定部として機能する。
【００２４】
第１ラップ頭出し用アイコン１３及び第２ラップ頭出し用アイコン１４は、ラップ測定用アイコン１２によって要素作業の区分けが行なわれた後に、各要素作業の開始時点（頭）から作業動画を再生する場合に使用される。第１ラップ頭出し用アイコン１３が操作されると、インジケータ２０がプログレスバー９の時間の流れに沿って（左から右に向かって）、作業動画における各要素作業の開始時点（頭）に移動する。第２ラップ頭出し用アイコン１４が操作されると、インジケータ２０がプログレスバー９の時間の流れを遡って（右から左に向かって）、作業動画における各要素作業の開始時点（頭）に移動する。
【００２５】
ラップ取消し用アイコン１５は、ラップ測定用アイコン１２によって区分けされた要素作業のうち、最も新しく区分けされた（最後に区分けされた）要素作業において、その区分けを解除するためのものである。ラップモード選択用アイコン１６は、ラップ測定用アイコン１２を使用可能にするラップモードを選択する際に使用される。ラップクリア用アイコン１７は、ラップ測定用アイコン１２が使用された結果、表示部４に表示される所定の表示を解除するためのものである。
【００２６】
再生速度調整用アイコン１８は、動画表示部８にて再生される作業動画の再生速度を調整するためのものである。具体的には、本実施形態において、再生速度調整用アイコン１８は、作業動画の再生速度を下げ、いわゆるスロー再生させるためのものである。再生速度調整用アイコン１８は、図３に示すように目盛表示とされており、作業動画を操作した目盛に応じた速度で再生させることができる。より具体的には、再生速度調整用アイコン１８は、１０個の正方形状の目盛を縦に並べて構成されるバーであり、作業動画の再生速度を１０段階に調整できる。
【００２７】
この再生速度調整用アイコン１８は、この目盛表示に限らず、例えば、１０（％）から１００（％）まで１０（％）毎に数値として表示するとともに、その数値表示をタッチ操作することによって、その数字に対応する再生速度で作業動画を再生するようにしてもよい。例えば、撮像した作業の作業速度に対して半分の速度で再生したい場合には、５０（％）の表示をタッチ操作すればよく、録画した作業における元の再生速度に戻したい場合には、１００（％）をタッチ操作すればよい。
【００２８】
表示部４に表示される作業内容表１９は、動画表示部８において再生される作業動画に係る一連の作業を、要素作業毎に分け、各要素作業の名称を表示するとともに、各要素作業の作業時間を表示するものである。作業時間については、図３に示すように、「正味」の作業時間、「付随」の作業時間、及び「歩行」の時間といった３つの時間区分に分かれて表示されるようになっている。ここで、「正味」の作業時間とは、例えば自動車の製造でいえば、車体に付加価値を付与するような作業に要する作業時間をいい、「付随」の作業時間とは、「正味」の作業を行うために付随する補助的な作業に係る時間をいう。
【００２９】
操作部５は、作成装置Ａにおける電源のオン・オフスイッチや、表示部４と一体に構成されるタッチスクリーン（タッチパネル）の他、表示部４に表示され得るソフトウェアキーボードや上記の各種アイコン１０〜１８等を含む。
【００３０】
撮像カメラ６は、例えば工場Ｃ１〜Ｃ４内で作業を行う熟練作業者の作業を作業動画として撮像する。この撮像カメラ６は、作成装置Ａに一体に構成されているが、これに限定されず、作成装置Ａと別体に構成されてもよい。
【００３１】
スピーカ７は、作成装置Ａにおける各種操作が為された際の操作音、動画表示部８にて再生される作業動画の音声、及び作業手順書が使用される際の音声ガイダンス等を出力し得る。
【００３２】
以下、上記構成の作成装置Ａの使用方法について説明する。本実施形態では、自動車の車体にワイパー装置を取り付ける作業を例示する。この例において、ワイパー装置を車体に取り付ける作業は、主として「ワイパー装置を箱から取り出す」、「自動車の車体へ移動（歩行）する」、「ワイパー装置を車体に取り付ける」といった３種類の要素作業からなるものとする。
【００３３】
ワイパー装置の取り付け作業に係る作業内容表１９を作成するには、まず、測定対象となる作業を行うことが可能な熟練作業者の作業を撮像カメラ６によって撮像する。この場合、撮像カメラ６を作業者に向け、撮像用アイコン１０を操作することにより、撮像が開始し、撮像された作業のデータが記憶部３に記憶（録画）される。
【００３４】
次に、再生用アイコン１１を操作すると、撮像された作業動画が動画表示部８で再生される。作業動画が再生されることで、録画された作業動画が所望のものであるか否かを確認することができる。なお、この作業動画の再生に応じて、プログレスバー９のインジケータ２０が、このプログレスバー９の左端部の開始位置から右端部の終了位置に向かって移動する。
【００３５】
作業動画が望ましいものであることが確認されると、作業動画中の一連の作業を要素作業に区分けする動作に移行する。これは、ラップモード選択用アイコン１６を操作した後、再生用アイコン１１を操作することにより始まる。この操作により、動画表示部８において作業動画がもう一度再生される。
【００３６】
この状態で、要素作業の開始と終了のタイミングでラップ測定用アイコン１２を操作する。具体的には、作業動画が再生される中で、ワイパー装置が箱から取り出される作業の開始のタイミングを見計らってラップ測定用アイコン１２を操作する。そうすると、図４（ａ）に示すように、この操作に応じて、プログレスバー９に交差（直交）するように、要素作業を分けるための区切りライン（以下「第１区切りライン」という）Ｌ１が表示される。具体的には、ラップ測定用アイコン１２が操作されたときに、プログレスバー９上を移動するインジケータ２０が点線で示す位置にあったとすると、この位置において第１区切りラインＬ１が表示される。
【００３７】
再生されている作業動画は、ラップ測定用アイコン１２が操作されても停止することなく続けて再生され、作業動画の進行に連動してインジケータ２０もプログレスバー９上を移動していくことになる。その後、ワイパー装置が箱から完全に取り出されたタイミングでラップ測定用アイコン１２を操作する。
【００３８】
このとき、プログレスバー９上のインジケータ２０は、図４（ａ）において一点鎖線で示す位置にまで移動しており、ラップ測定用アイコン１２が操作されることにより、この位置に区切りライン（以下「第２区切りライン」という）Ｌ２が表示される。このように、第１区切りラインＬ１と第２区切りラインＬ２とによって、「ワイパー装置を箱から取り出す」という要素作業の作業時間（ラップタイム）がプログレスバー９上で区分けされる。
【００３９】
本実施形態において測定対象となる作業は、ワイパー装置が箱から取り出された直後に、作業者が自動車の車体へと移動するというものである。したがって、図４（ａ）において、ワイパー装置を箱から取り出す作業の完了を示す第２区切りラインＬ２は、次の要素作業である車体への移動の開始を示すものでもある。このように、この第２区切りラインＬ２によって、ワイパー装置を箱から取り出すという要素作業と、車体へと移動するという要素作業とがプログレスバー９上で区切られることになる。
【００４０】
さらに作業動画の再生が進むと、作業者の車体への移動が完了する。このとき、プログレスバー９上のインジケータ２０は、図４（ａ）において二点鎖線で示す位置に移動している。このタイミングでラップ測定用アイコン１２が操作されると、このインジケータ２０の位置に区切りライン（以下「第３区切りライン」という）Ｌ３が表示される。これにより、車体への移動（歩行）という要素作業の作業時間は、第２区切りラインＬ２と第３区切りラインＬ３とによって、プログレスバー９上で区分けされる。
【００４１】
また、本実施形態では、作業者の車体への移動が完了すると、即座にワイパー装置の車体への取り付けが開始される。したがって、車体への移動が完了した時点を示す第３区切りラインＬ３は、車体へのワイパー装置の取り付け作業が開始された時点を示すものでもある。すなわち、この第３区切りラインＬ３によって、車体へと移動するという要素作業と、ワイパー装置を車体に取り付けるという要素作業とがプログレスバー９上で区切られることになる。
【００４２】
さらに作業動画の再生が進み、ワイパー装置の車体への取り付け作業が完了する。このとき、プログレスバー９上のインジケータ２０は、図４（ａ）において実線で示す位置に移動している。このタイミングでラップ測定用アイコン１２が操作されると、このインジケータ２０の位置に区切りライン（以下「第４区切りライン」という）Ｌ４が表示される。これによって、ワイパー装置を車体に取り付けるという要素作業の作業時間は、第３区切りラインＬ３と第４区切りラインＬ４とによってプログレスバー９上で区分けされる。
【００４３】
なお、作業動画が全て再生されると、プログレスバー９のインジケータ２０は、このプログレスバー９の右端部（作業動画終了を示す位置）に到達し、その後、開始位置であるプログレスバー９の左端部へと自動的に移行する。
【００４４】
以上によって、要素作業の区分けが完了する。上記のように、動画表示部８で作業動画を再生表示しながら、ラップ測定用アイコン１２を操作することによって、再生される作業動画に含まれる要素作業の開始時と終了時を各区切りラインＬ１〜Ｌ４によって特定できる。この特定は、主としてラップ測定用アイコン１２を操作することにより行われるが、区切りラインＬ１〜Ｌ４の設定をより正確に行うために、再生速度調整用アイコン１８を併用してもよい。この再生速度調整用アイコン１８を操作することにより、例えば作業動画の再生速度を下げて表示（スロー再生）でき、要素作業の開示時と終了時を視覚的に特定し易くすることが可能になる。
【００４５】
また、ラップ測定用アイコン１２による適切な操作を行うことができなかった場合、例えば要素作業の終了時点を特定する際にラップ測定用アイコン１２におけるタッチ操作のタイミングが遅れた場合には、このラップ取消し用アイコン１５を操作することで、不正確に表示された区切りラインを消去することができる。
【００４６】
次に、各要素作業における作業時間が測定される。この作業時間の測定は、作業動画において再生される要素作業の順、すなわち、「ワイパー装置を箱から取り出す」、「車体に移動する」、「ワイパー装置を車体に取り付ける」の順に、それぞれの作業時間Ｔ１〜Ｔ３（図４（ｂ）参照）が測定される。
【００４７】
このために、再生用アイコン１１が操作されると、インジケータ２０がプログレスバー９上を開始位置から右へと移動していき、図４（ｂ）において、第１区切りラインＬ１に到達すると、最初の要素作業であるワイパー装置の箱からの取り出し作業の作業時間Ｔ１が自動的に測定される。
【００４８】
インジケータ２０が第１区切りラインＬ１の位置（インジケータ２０を二点鎖線で示す）から第２区切りラインＬ２の位置（インジケータ２０を実線で示す）へと移動すると、この間の時間Ｔ１の測定が完了し、再生されていた作業動画は自動的に一時停止する。さらに、表示部４には、ポップアップウィンドウ（図示せず）が表示され、このポップアップウィンドウには、測定結果である作業時間と、この要素作業の名称を入力することが可能な入力画面と、作業時間の時間区分である「正味」、「付随」及び「歩行」のいずれかを選択可能な選択画面とが表示される。
【００４９】
ユーザは、測定された作業時間（ラップタイム）を確認し、その作業に相応しい時間区分を選択する。この場合において、ワイパー装置を箱から取り出すという要素作業の時間区分は、「付随」に該当する。また、ユーザは、この要素作業の名称（作業内容）を入力画面に入力する。このとき、ユーザがこの入力画面に触れると、表示部４にはソフトウェアキーボードが表示される。ユーザは、ソフトウェアキーボードを使ってこの要素作業の名称を「ワイパーを箱から取り出す」と入力する。そうすると、図３に示すように、表示部４に表示されている作業内容表１９の項目「１」の欄において、その作業名称として「ワイパーを箱から取り出す」が表示され、さらに作業時間の区分「付随」に、作業時間の測定結果が表示される。なお、本実施形態では、ワイパー装置の箱からの取り出しに１．３秒かかった場合を例示している。
【００５０】
上記のように作業内容表１９への入力が終了すると、一時停止していた作業動画が再開し、車体への移動にかかる時間Ｔ２が測定される。具体的には、プログレスバー９上でインジケータ２０が第２区切りラインＬ２から第３区切りラインＬ３まで移動し、この間の時間Ｔ２が自動的に測定される。この時間Ｔ２は、上述した時間Ｔ１と同様に測定され、その後、表示部４には、この時間Ｔ２の測定結果、作業名称（作業内容）の入力画面、時間区分を選択するための選択画面が表示される。
【００５１】
続いて、ソフトウェアキーボードが表示され、要素作業の名称が入力される。さらに時間区分の選択が行なわれると、その入力及び選択内容が作業内容表１９へと反映される。本実施形態では、図３に示すように、作業内容表１９の項目「２」の欄（行）において、作業名称として「車体に移動する」が表示され、時間区分の「歩行」に、作業時間Ｔ２の測定結果として１．７秒が表示される。
【００５２】
次に、ワイパー装置を車体に取り付けるという要素作業の作業時間Ｔ３が測定される。具体的には、プログレスバー９上でインジケータ２０が第３区切りラインＬ３から第４区切りラインＬ４に移動するまでの時間Ｔ３が自動的に測定される。上述した時間Ｔ１、Ｔ２と同様に、この時間Ｔ３についても、作業時間の測定結果、作業名称の入力画面、時間区分の選択画面及びソフトウェアキーボードが表示部４に表示される。作業名称の入力、時間区分の選択の結果、図３に示すように、作業内容表１９の項目「３」の欄（行）において、作業名称として「ワイパーを車体に取り付ける」が表示され、時間区分の「正味」に、作業時間Ｔ３の測定結果として４．０秒が表示される。
【００５３】
なお、上記のようにプログレスバー９上でインジケータ２０を移動させる場合において、第１頭出し用アイコン１３及び第２頭出し用アイコン１４を操作することにより、インジケータ２０を各区切りラインＬ１〜Ｌ４の対応する位置に移動（頭出し）させることができる。例えば、第１区切りラインＬ１と第２区切りラインＬ２の間にインジケータ２０が位置している場合に、第１頭出し用アイコン１３を操作すると、インジケータ２０は即座に第２区切りラインＬ２の位置へと移動し、第２頭出し用アイコン１４を操作すると、インジケータ２０は即座に第１区切りラインＬ１へと移動する。このように、第１頭出し用アイコン１３及び第２頭出し用アイコン１４による頭出し操作によって、各要素作業における作業時間Ｔ１〜Ｔ３の測定をより容易に行うことが可能である。
【００５４】
以上のように、作業内容表１９が編集されると、作業手順書作成専用ソフトによって、この作業工程を標準化して反映させたガントチャートや他の種々の手順又は要領を含む作業手順書が作成されることになる。この作業手順書の作成は、作成装置Ａによって行われてもよく、サーバＳによって行われてもよい。
【００５５】
なお、図４（ｂ）に示す各要素作業の作業時間を示す符号Ｔ１〜Ｔ３は、その測定方法を説明するために便宜上使用される概念的なものであり、実際の表示部４に表示されるものではない。
【００５６】
上記のような作業時間Ｔ１〜Ｔ３の測定が終了したときに、表示部４のラップクリア用アイコン１７を操作すると、ラップモードが解除され、プログレスバー９に表示されていた各区切りラインＬ１〜Ｌ４が消去される。  
【００５７】
以上説明した本発明に係る作成装置Ａによれば、撮像カメラ６によって撮像された作業動画を動画表示部８に表示させながら、表示部４に表示されるラップ測定用アイコン１２（作業時間測定部）を操作し、要素作業の開始時と終了時を特定する区切りラインＬ１〜Ｌ４をプログレスバー９に対して表示させることにより、要素作業における作業時間の区分けを容易に行うことができる。
【００５８】
さらに、要素作業における作業時間の区分けが行なわれると、各要素作業の作業時間は、作業動画の再生とともに自動的に測定されることになる。この作業時間が測定されると、表示部に、要素作業の名称を入力する入力画面及びソフトウェアキーボードが表示され、作業名称を入力するだけで、その要素作業の名称と作業時間とが関連付けられた状態で作業内容表１９に表示される。このように、本発明に係る作成装置Ａでは、作業動画に含まれる要素作業における作業時間の区分け、その作業時間の測定、及び作業内容表１９へのデータの入力及び編集を表示部４へのタッチ操作により容易に行うことができる。
【００５９】
なお、本発明に係る作成装置Ａは、上記実施形態の構成に限定されるものではない。また、本発明に係る作成装置Ａは、上記した作用効果に限定されるものでもない。本発明に係る作成装置Ａは、本発明の要旨を逸脱しない範囲で種々の変更が可能である。
【００６０】
本発明でいう作業は、製品を製造するための製造作業（加工、組み立て、塗装やその他の処理等の作業）のみならず、製造された製品又はその中間品を検査するための検査作業も含まれる。作業手順の内容は、自動車や自動車部品などを製造又は検査するための内容に限定されないことは言う迄もなく、様々な生産ライン、製造現場において、本発明に係る作成装置Ａを用いることが可能である。本発明に係る作成装置Ａをタブレット型端末とすれば、携帯やデータ通信等の面で便利であり、好ましいが、これに限定されず、デスクトップ型ＰＣやノートＰＣその他の各種機器を作成装置Ａとすることが可能である。
【００６１】
上記の実施形態では、表示部４に表示されるソフトウェアキーボードによって情報の入力及び編集を行う例を示したが、これに限定されず、上記ＰＣに接続されるキーボードやマウス等のような既存の入力インターフェースを適宜使用できる。
【００６２】
上記の実施形態では、作業内容表１９へのデータの入力及び編集を、ポップアップウィンドウを表示させることによって行う例を示したが、これに限定されず、例えば、表示部４は、ポップアップウィンドウを介することなく、作業内容表１９の各欄にデータが直接入力、編集されるように構成され得る。すなわち、表示部４は、ポップアップウィンドウによる間接的なデータの入力及び編集の他、直接的なデータの入力及び編集が可能な作業内容表１９を表示するように構成され得る。
【００６３】
上記の実施形態では、作成装置Ａに作業手順書作成専用ソフトがインストールされた例を示したが、これに限定されない。作成装置Ａは、最終的な作業手順書を作成する機能を備えていなくてもよく、動画表示部８、プログレスバー９、各種アイコン１０〜１８に関するプログラム、及び作業内容表１９を作成可能なプログラムがインストールされていればよい。この場合には、作業内容表１９を作成した後に、この作業内容表１９に関するデータをサーバＳに送信し、サーバＳにおいて作成された作業手順書を作成装置Ａにダウンロードすればよい。すなわち、作成装置１８は、作業手順書の作成を支援する支援ツールとしても機能し得る。
【符号の説明】
【００６４】
１     データ処理部
４     表示部
６     撮像カメラ（撮像部）
１２   ラップ測定用アイコン（作業時間測定部）
１９   作業内容表
Ａ   作業手順書の作成装置
【図１】
0006494085.tif 000002
【図２】
0006494085.tif 000003
【図３】
0006494085.tif 000004
【図４】
0006494085.tif 000005